(57)【要約】      （修正有）【課題】手間をかけないで実行し得る電子チェックリスト実行方法を提供する。【解決手段】電子ディスプレイ１０４に電子チェックリスト１０６を表示することを含む。電子チェックリスト１０６が、電子チェックリスト１０６に関連するサブシステムの複数のコンポーネントの状態に関するチェックリスト項目１１２、１１４を含むか否か、を判断することを含む。電子チェックリスト１０６が、「複数のコンポーネントの状態に関連するチェックリスト項目１１２、１１４を含む」との判断に基づいて、複数のコンポーネントに制御コマンド１６２、１６４を送信するために選択可能な単一オプション１１８を、電子ディスプレイに表示させることを含む。【選択図】図１
2018079919.tif 000002
【特許請求の範囲】
【請求項１】
電子ディスプレイに電子チェックリストを表示し、
前記電子チェックリストが、前記電子チェックリストに関連するサブシステムの複数のコンポーネントの状態に関するチェックリスト項目を含むか否か、を判断し、
前記電子チェックリストが、前記複数のコンポーネントの状態に関連する前記チェックリスト項目を含む、との判断に基づいて、前記複数のコンポーネントに制御コマンドを送信するために選択可能な単一オプションを前記電子ディスプレイに表示する、ことを含む方法。
【請求項２】
前記単一オプションの選択に応答して、前記複数のコンポーネントに前記制御コマンドを送信することを、さらに含む、請求項１に記載の方法。
【請求項３】
前記電子ディスプレイに一覧ページ一を表示することをさらに含み、前記単一オプションは、前記一覧ページに表示される、請求項１又は２に記載の方法。
【請求項４】
前記単一オプションの選択に応答して、前記電子ディスプレイにポップアップウィンドゥを表示することをさらに含み、前記ポップアップウィンドゥの内容は、前記複数のコンポーネントの状態判断に応じて決定される、請求項１〜３のいずれかに記載の方法。
【請求項５】
前記ポップアップウィンドゥから前記複数のコンポーネントのうちの１つのコンポーネントの状態の標示を削除するか、前記ポップアップウィンドゥを介した前記コンポーネントの制御を無効化するか、或いは、この両方を行うことを、さらに含む、請求項４に記載の方法。
【請求項６】
前記電子ディスプレイに一覧ページを表示することをさらに含み、前記ポップアップウィンドゥが表示された後において、前記一覧ページにおける入力に応答して、前記標示が削除されるとともに、前記ポップアップウィンドゥを介した前記１つのコンポーネントの制御が無効化される、請求項５に記載の方法。
【請求項７】
前記入力は、前記一覧ページにおける前記１つのコンポーネントを表示する部分にて行われる、請求項６に記載の方法。
【請求項８】
複数のコンポーネントを含むサブシステムと、
電子ディスプレイと、
前記電子ディスプレイに接続されたプロセッサと、を含むシステムであって、前記プロセッサは、
前記電子ディスプレイに、前記サブシステムに関連する電子チェックリストを表示させ、
前記電子チェックリストが、前記複数のコンポーネントの状態に関連するチェックリスト項目を含むか否か、を判断し、
前記電子チェックリストが、前記複数のコンポーネントの状態に関連する前記チェックリスト項目を含む、との判断に基づいて、前記複数のコンポーネントに制御コマンドを送信するために選択可能な単一オプションを前記電子ディスプレイに表示するように構成されている、システム。
【請求項９】
前記プロセッサは、前記単一オプションを前記電子ディスプレイに表示された一覧ページに表示させるように構成されている、請求項８に記載のシステム。
【請求項１０】
前記プロセッサは、前記チェックリスト項目が次の処理対象チェックリスト項目である場合に、前記単一オプションを前記電子ディスプレイに表示させるように構成されている、請求項８に記載のシステム。
【請求項１１】
前記プロセッサは、前記チェックリスト項目が、選択されたチェックリスト項目である場合に、前記単一オプションを前記電子ディスプレイに表示させるように構成されている、請求項８に記載のシステム。
【請求項１２】
前記プロセッサは、さらに、前記単一オプションの選択に応答して、前記電子ディスプレイにポップアップウィンドゥを表示させるように構成されており、前記ポップアップウィンドゥの内容は、前記複数のコンポーネントの状態判断に応じて決定される、請求項８〜１１のいずれかに記載のシステム。
【請求項１３】
前記プロセッサは、さらに、前記ポップアップウィンドゥが表示された後の前記電子ディスプレイにおける入力に応答して前記ポップアップウィンドゥから前記複数のコンポーネントのうちの１つのコンポーネントの状態の標示を削除するか、前記ポップアップウィンドゥが表示された後の前記入力に応答して前記ポップアップウィンドゥを介した前記コンポーネントの制御を無効化するか、或いは、この両方を行うように構成されている、請求項１２に記載のシステム。
【請求項１４】
プロセッサ実行可能命令を格納する非一時的プロセッサ可読媒体であって、前記プロセッサ実行可能命令は、プロセッサによって実行されると、前記プロセッサが、
電子ディスプレイに電子チェックリストを表示させ、
前記電子チェックリストが、前記電子チェックリストに関連するサブシステムの複数のコンポーネントの状態に関するチェックリスト項目を含むか否か、を判断し、
前記電子チェックリストが、前記複数のコンポーネントの状態に関連する前記チェックリスト項目を含む、との判断に基づいて、前記複数のコンポーネントに制御コマンドを送信するために選択可能な単一オプションを前記電子ディスプレイに表示させる、ように前記プロセッサを制御する、非一時的プロセッサ可読媒体。
【請求項１５】
前記プロセッサ実行可能命令は、複数の命令をさらに含み、前記複数の命令は、前記プロセッサによって実行されると、前記プロセッサにより、サブシステムコントローラが、前記単一オプションの選択に応答して前記複数のコンポーネントに前記制御コマンドを送信するように、前記プロセッサを制御する、請求項１４に記載の非一時的プロセッサ可読媒体。
【発明の詳細な説明】
【技術分野】
【０００１】
本開示は、電子チェックリストに関する。
【背景技術】
【０００２】
航空機用チェックリストは、航空機の適切な設定及び操作を容易にするために用いられる。各チェックリストは、実行すべきステップ、実行すべき検査などに対応する複数のチェックリスト項目を含む。チェックリストには、パイロット又はオペレータに、複数のコンポーネントを同じ状態に設定するように指示するものも存在しうる。複数のコンポーネントが同じ状態になるように順次及び個々に設定することは、不必要に手間がかかりうる。
【発明の概要】
【０００３】
特定の実施形態において、方法は、電子ディスプレイに電子チェックリストを表示することを含む。前記方法は、前記電子チェックリストが、前記電子チェックリストに関連するサブシステムの複数のコンポーネントの状態に関するチェックリスト項目を含むか否か、を判断することを、さらに含む。前記方法は、前記電子チェックリストが、前記複数のコンポーネントの状態に関連する前記チェックリスト項目を含む、との判断に基づいて、前記複数のコンポーネントに制御コマンドを送信するために選択可能な単一オプションを前記電子ディスプレイに表示することを、さらに含む。
【０００４】
他の特定の実施形態においては、システムは、複数のコンポーネントを有するサブシステムを含む。前記システムは、電子ディスプレイと、前記電子ディスプレイに接続されたプロセッサと、を含む。前記プロセッサは、前記電子ディスプレイに、前記サブシステムに関連する電子チェックリストを表示させるように構成されている。前記プロセッサは、前記電子チェックリストが、前記複数のコンポーネントの状態に関連するチェックリスト項目を含むか否か、を判断するように、さらに構成されている。前記プロセッサは、前記電子チェックリストが、前記複数のコンポーネントの状態に関連するチェックリスト項目を含む、との判断に基づいて、前記複数のコンポーネントに制御コマンドを送信するために選択可能な単一オプションを前記電子ディスプレイに表示させるように、さらに構成されている。
【０００５】
他の特定の実施形態においては、非一時的プロセッサ可読媒体は、プロセッサ実行可能命令を格納している。前記命令は、プロセッサによって実行されると、前記プロセッサが、電子ディスプレイに電子チェックリストを表示させるように、前記プロセッサを制御する。前記命令は、さらに、前記プロセッサに、前記電子チェックリストが前記電子チェックリストに関連するサブシステムの複数のコンポーネントの状態に関するチェックリスト項目を含むか否か、を判断させる。前記命令は、さらに、前記プロセッサに、前記電子チェックリストが、前記複数のコンポーネントの状態に関連する前記チェックリスト項目を含む、との判断に基づいて、前記複数のコンポーネントに制御コマンドを送信するために選択可能な単一オプションを前記電子ディスプレイに表示させる。
【０００６】
本明細書で説明する特徴、機能、及び利点は、様々な例において個々に実現可能であり、また、他の例との組み合わせも可能である。この詳細については、以下の記載と図面を参照しながら開示されている。
【図面の簡単な説明】
【０００７】
【図１】電子チェックリストと、一覧ページと、航空機のサブシステムの複数のコンポーネントに制御コマンドを送信するために選択可能な単一のオプションと、を表示するように構成された表示システムを含む航空機の一例を示す図である。
【図２】図１に示すディスプレイが、図１に示す電子チェックリスト、一覧ページ、及び、単一オプションを表示する例を示す図である。
【図３】図２に示すディスプレイが、図２に示す電子チェックリスト、一覧ページ、及び、単一オプションを表示するとともに、個別機能の実行中にダイアログウィンドゥを表示する例を示す図である。
【図４】図２に示すディスプレイが、図２に示す電子チェックリスト、一覧ページ、及び、単一オプションを表示するとともに、マクロ機能の実行中にダイアログウィンドゥを表示する例を示す図である。
【図５】複数のコンポーネントを同じ状態に設定するためにマクロ機能が実行された後の、図２のディスプレイの例を示す図である。
【図６】図４に示すディスプレイにおいて、複数のコンポーネントのうちの１つのコンポーネントの選択解除に応答して、図４に示すダイアログウィンドゥが変更されている例を示す図である。
【図７】マクロ機能を有する概要パネルを提供する方法を示す。
【図８】図１に示す表示システムを含む航空機のライフサイクルを示すフロー図である。
【図９】図１に示す表示システムを含む航空機の具体例を示すブロック図である。
【発明を実施するための形態】
【０００８】
図面を参照しながら、本開示の特定の実施例について以下に説明する。本明細書中、共通の特徴は、図面全体を通して共通の参照数字で示している。
【０００９】
図面及び以下の説明は、特定の例を示すものである。したがって、本明細書に明瞭に説明又は図示されていなくても、その説明に従った請求の範囲内において本開示の原理を具現化する様々な変形が可能であることは、当業者であれば理解するであろう。さらに、本明細書で説明されている例は、本開示の原理に対する理解を助けることを意図するものであり、限定を示すものではないと解釈すべきである。したがって、本開示は、以下に説明する特定の例に限定されるものではなく、請求の範囲及びその均等物によって限定されるものである。
【００１０】
本明細書に開示する実施形態においては、電子ディスプレイに表示された選択可能な単一のオプションを用いることにより、チェックリストに関連するサブシステムの複数のコンポーネントを制御することが可能である。前記チェックリストに関連するシステムは、前記複数のコンポーネントを含む前記サブシステムと、前記電子ディスプレイと、前記電子ディスプレイに接続されたプロセッサとを含む。前記プロセッサは、前記電子ディスプレイに、前記サブシステムに関連する電子チェックリストを表示させるように構成されている。前記プロセッサは、さらに、前記電子チェックリストが前記複数のコンポーネントの状態に関連するチェックリスト項目を含むか否かを判断するように構成されている。前記プロセッサは、さらに、前記電子チェックリストが、前記複数のコンポーネントの状態に関連するチェックリスト項目を含む、との判断に基づいて、前記複数のコンポーネントに制御コマンドを送信するために選択可能な単一オプションを前記電子ディスプレイに表示するように構成されている。
【００１１】
以下で説明する実施形態は、航空機の環境における実施に焦点を当てているが、本明細書に記載の電子チェックリストシステム及び方法は、様々な輸送機（例えば、潜水艦や宇宙船など）や、位置が固定されている環境（例えば、発電所、化学プラント、又は製造工場）などの、他の環境において実施することも可能である。例えば、図１〜９を参照しながら以下で説明する電子チェックリストシステムに関連するサブシステムは、潜水艦、宇宙船、又は、発電所のサブシステムに対応しうる。また、図１〜９を参照しながら以下で説明する複数のコンポーネントは、潜水艦、宇宙船、又は、発電所のサブシステムの複数のコンポーネントに対応しうる。これらの実施形態において、図１〜９を参照しながら以下で説明する電子チェックリストシステム及び方法は、航空機のサブシステム及びコンポーネントを参照しながら以下で説明する電子ディスプレイに表示される選択可能な単一のオプションを利用して、潜水艦、宇宙船、又は、発電所のサブシステムの複数のコンポーネントを制御することが可能である。
【００１２】
図１は、航空機１００の略図である。航空機１００は、当該航空機のサブシステムの複数のコンポーネント（例えば、コンポーネント１３２、１３３）と、プロセッサ１０２及び電子ディスプレイ１０４を備える表示システム１０１と、を含む。いくつかの実施形態において、電子ディスプレイ１０４は、（例えば、ユーザからのタッチ入力に反応する）タッチスクリーンディスプレイである。サブシステムは、燃料サブシステム、電気サブシステム、油圧サブシステムなどの任意の航空機サブシステムを含みうる。コンポーネント１３２、１３３は、ノズル、ポンプ、バルブ、パック（packs）、回路、スイッチ、制御可能／可動／選択可能な航空機表面（例えば、フラップ）などの機械コンポーネント、電気コンポーネント、電気機械コンポーネント、又は、これらの組み合わせを含みうる。一例として、サブシステムは、燃料サブシステムを含みうる。また、複数のコンポーネント１３２、１３３は、複数の燃料投棄ノズルを含みうる。
【００１３】
プロセッサ１０２は、電子ディスプレイ１０４に、サブシステムに関連する電子チェックリスト１０６を表示させるように構成されている。電子チェックリスト１０６は、航空機１００のサブシステムのチェックリストであり、チェックリスト項目１１２、１１４、…Ｎなどの、１つ又は複数のチェックリスト項目を含む。チェックリスト項目１１２、１１４、…Ｎの各々は、（チェックリスト項目に関連する）１つ又は複数のコンポーネントを特定の状態に設定するように指示することができる。電子チェックリスト１０６の作業は、チェックリスト項目１１２、１１４、…Ｎの各々に対処することにより完了することができる。チェックリスト項目１１２、１１４、…Ｎは、チェックリスト項目１１２、１１４、…Ｎに関連する処理を実行することにより、及び／又は、チェックリスト項目１１２、１１４、…Ｎに関連するコンポーネントが、チェックリスト項目１１２、１１４、…Ｎに関連する状態に設定されるように制御することにより、対処してもよい。
【００１４】
いくつかの例においては、プロセッサ１０２は、特定の順序に従って、チェックリスト項目１１２、１１４、…Ｎの作業を進めるように構成することができる。例えば、最初にチェックリスト項目１１２に対処して、その後チェックリスト項目１１２の作業が完了してからチェックリスト項目１１４に対処することを指示するコマンドを、メモリ（例えば、図９に示す非一時的プロセッサ可読媒体９８１）に格納してもよい。この例においては、プロセッサ１０２は、最初にチェックリスト項目１１２に対処して、その後チェックリスト１１２の作業が完了してからチェックリスト項目１１４に対処することにより、電子チェックリスト１０６の作業を進めるように構成することができる。これに代えて、或いは、これに加えて、チェックリスト項目１１２、１１４、…Ｎに対処する順序を制御するために、（例えば、パイロットやオペレータなどのユーザにより）電子チェックリスト１０６の個々のチェックリスト項目を選択することができる。例えば、チェックリスト項目１１２に対処する前にチェックリスト項目１１４に対応することを、ユーザが望んでいる場合がある。この例においては、ユーザは、チェックリスト項目１１２に対処する前に、チェックリスト項目１１４を（例えば、電子ディスプレイ１０４における入力により）選択することができる。したがって、電子チェックリスト１０６の作業を進める順序は、ユーザからの（電子ディスプレイ１０４における）入力に基づくものであってもよい。
【００１５】
図１に示す実施形態においては、チェックリスト項目１１２は、１つのコンポーネントの状態に関連している。例えば、チェックリスト項目１１２は、特定の位置に設定された単一スイッチと対応している。さらに、図１に示す実施形態においては、チェックリスト項目１１４は、複数のコンポーネントの状態に関連している。例えば、チェックリスト項目１１４は、コンポーネント１３２、１３３の状態に関連付けられてもよい。例えば、複数のコンポーネント１３２、１３３は、複数のノズルを含み、チェックリスト項目１１４は、複数のノズルが特定の状態に設定されるように指示することができる。
【００１６】
図示の実施形態においては、プロセッサ１０２は、電子ディスプレイ１０４に一覧ページ１０８を表示させるように構成されている。一覧ページ１０８は、電子チェックリスト１０６と同じ電子ディスプレイに表示されることが示されているが、他の実施形態においては、一覧ページ１０８は、電子チェックリスト１０６が示される電子ディスプレイ１０４とは別の電子ディスプレイに表示される。また、他の実施形態においては、一覧ページ１０８は、電子チェックリスト１０６と同時に表示されなくてもよい。
【００１７】
一覧ページ１０８は、サブシステムのコンポーネントの状態を説明するコンポーネント状態データを（例えば、状態表示記号を用いて）示す。さらに、一覧ページ１０８は、コンポーネントのコマンド状態データ（例えば、オン／オフ（on/off）、待機／待機解除（armed/unarmed）など）を示すように構成されている。コンポーネントに関連するコンポーネント状態データ及びコマンド状態データは、当該コンポーネントに関連する領域内に表示される。例を挙げて説明すると、コンポーネント１３２、１３３は、第１ノズル（例えば、コンポーネント１３２）と、第２ノズル（例えば、コンポーネント１３３）とを含みうる。この例において、コンポーネント状態データは、第１ノズルがオフであることを示す記号１４４（領域１５２内）と、第２ノズルがオンであることを示す第２記号１４６（領域１５４内）とを含む。また、コマンド状態データは、第１ノズルがオフであることを示すテキスト１４０（領域１５２内）と、第２ノズルがオンであることを示すテキスト１４２（領域１５４内）とを含む。
【００１８】
このように、一覧ページ１０８は、サブシステムのコンポーネントのうちの、アクティブな電子チェックリスト１０６に関連する１つ又は複数のコンポーネントの現在の状態を示す記号及びテキストを、一覧ページ１０８のうちの当該コンポーネントに関連する領域内に提示する。これにより、一覧ページ１０８は、ユーザが、コンポーネントの状態に対処する際に見ると考えられる領域と同じ領域に、コンポーネントの状態に関する情報を提示する。コンポーネントの表示の近くに状態情報を提示することにより、電子制御インターフェース上（例えば、タッチスクリーン上）に状態データを表示しない電子チェックリストシステムや、電子制御インターフェース上のコンポーネントの表示領域とは異なる領域に状態データを表示する電子チェックリストシステムと比較すると、コンポーネントの状態を判断するためにユーザが払うべき視覚的注意の程度を低減することができる。
【００１９】
いくつかの例においては、プロセッサ１０２は、アクティブなチェックリスト項目に関連する一覧ページ１０８の領域又は一覧ページ１０８におけるコンポーネントの表示を、ハイライト又は強調するように構成されている。例えば、チェックリスト項目１１４がアクティブである場合、プロセッサ１０２は、コンポーネント１３２及び１３３に関連する領域１５２及び１５４をハイライト又は強調する。アクティブなチェックリスト項目に関連するコンポーネントを強調することにより、電子ディスプレイ１０４上の関連する（アクティブな）コンポーネントにユーザの注意を促すことができるので、（タッチスクリーンを用いる現行の電子チェックリストシステムと比較して）ユーザが払うべき視覚的注意の程度を低減することができる。
【００２０】
これに加え、或いはこれに代えて、プロセッサ１０２は、アクティブなチェックリスト項目に関連する、航空機１００における物理的な制御部（図示略）の周囲の縁取り線又はラインを強調するように構成されてもよい。例えば、チェックリスト項目がアクティブな場合、バックライトを用いて、チェックリスト項目に関連する物理的な制御部の周囲の縁取り線又はラインを照らしてもよい（また、チェックリスト項目が非アクティブな場合、これらを照らさなくてもよい）。
【００２１】
図２及び図３を参照しながら以下に詳述するように、一覧ページ１０８は、サブシステムの個々のコンポーネントの状態又は設定を制御するために選択可能な１つ又は複数の機能（例えば、１つ又は複数の個別機能）を含む。一覧ページ１０８は、コンポーネントの設定を特定の状態（例えば、同じ状態）にするように指示することを含む、１つ又は複数のチェックリスト項目に関連する１つ又は複数のマクロ機能（macro-functions）をさらに含みうる。マクロ機能は、複数のコンポーネントの状態又は設定を制御するために実行可能又は選択可能であってもよい。
【００２２】
マクロ機能を実行するために、プロセッサ１０２は、電子チェックリスト１０６が当該電子チェックリスト１０６に関連するサブシステムの複数のコンポーネントの状態に関連するチェックリスト項目を含むか否か、を判断するように構成されている。例を挙げると、マクロ機能を実行するために、プロセッサ１０２は、電子チェックリスト１０６がコンポーネント１３２、１３３の状態に関連するチェックリスト項目を含むか否か、を判断するように構成されている。例えば、チェックリスト項目１１４は、コンポーネント１３２及び１３３が同じ状態に設定されることに関連付けられてもよい。例えば、コンポーネント１３２は、第１ノズルに対応し、コンポーネント１３３は、第２ノズルに対応し、チェックリスト項目１１４は、コンポーネント１３２及びコンポーネント１３３の両方が、ＯＦＦ状態に設定されることを含んでもよい。これに代えて、チェックリスト項目１１４は、コンポーネント１３２及びコンポーネント１３３の両方が、ＯＮ状態に設定されることを含んでもよい。なお、チェックリスト項目１１４は、サブシステムの２つのコンポーネント（例えば、コンポーネント１３２及び１３３）に関連するものとして説明したが、チェックリスト項目１１４は、サブシステムの３つ以上のコンポーネントに関連付けられてもよい。
【００２３】
マクロ機能を実行するために、プロセッサ１０２は、電子チェックリスト１０６が複数のコンポーネントに関連するチェックリスト項目を含む、との判断に基づいて、（複数のコンポーネントの状態を設定するために選択可能な）単一のオプションを選択的に表示するように、さらに構成されている。例えば、プロセッサ１０２は、電子チェックリスト１０６がコンポーネント１３２及び１３３の状態に関連する（コンポーネント１３２、１３３が同じ状態に設定されることに関連する）チェックリスト項目１１４を含む、との判断に基づいて、電子ディスプレイ１０４に、単一オプション１１８を表示するように、さらに構成されている。いくつかの例においては、一覧ページ１０８に、単一オプション１１８が提示される。これに代えて、或いは、これに加えて、いくつかの実施形態においては、電子ディスプレイ１０４の電子チェックリスト１０６の部分に、単一オプション１１８が提示される。
【００２４】
単一オプション１１８は、当該単一オプション１１８に関連するチェックリスト項目がアクティブな場合（例えば、次の処理対象チェックリスト項目であるか、或いは、ユーザにより選択されている場合）に表示されるようにしてもよい。例えば、単一オプション１１８は、チェックリスト項目１１４に関連付けられ、プロセッサ１０２は、チェックリスト項目１１２が実行された後にチェックリスト項目１１４が次のチェックリスト項目になるように、電子チェックリスト１０６の作業を進めるように構成されてもよい。この例においては、プロセッサ１０２は、次の処理対象チェックリスト項目がチェックリスト項目１１４であると判断した場合、単一オプション１１８を表示させる。これに代えて、単一オプション１１８は、チェックリスト項目１１４に関連付けられ、ユーザが、電子チェックリストに対して入力を実行することにより、チェックリスト項目１１４を選択してもよい。プロセッサは、ユーザによるチェックリスト項目の選択に応答して、単一オプション１１８を表示させてもよい。
【００２５】
いくつかの例においては、単一オプション１１８に関連するチェックリスト項目がアクティブでない場合（例えば、次の処理対象チェックリスト項目でないか、或いは、選択されたチェックリスト項目でない場合）、単一オプション１１８は表示されなくてもよい。例えば、次の処理対象チェックリスト項目、又は、選択されたチェックリスト項目がチェックリスト項目１１２である場合、単一オプション１１８は表示されない。これに代えて、或いは、これに加えて、単一オプション１１８に関連するチェックリスト項目が、次のチェックリスト項目でないか、或いは、選択されたチェックリスト項目でない場合、単一オプション１１８は、表示されてはいるが非アクティブ（例えば、選択不可能）な状態であってもよい。例えば、次の処理対象チェックリスト項目、又は、選択されたチェックリスト項目がチェックリスト項目１１２である場合、単一オプション１１８は、表示されてはいるが非アクティブな状態であってもよい。したがって、単一オプション１１８は、当該単一オプション１１８に関連するチェックリスト項目がアクティブな場合にのみ、表示されている状態、又は、アクティブな状態であってもよい。
【００２６】
マクロ機能を実行する場合、複数のコンポーネント（例えば、コンポーネント１３２及び１３３）に制御コマンド１６２、１６４を送信するために、単一オプション１１８を選択することができる。いくつかの実施形態においては、単一オプション１１８は、電子ディスプレイ１０４において追加の入力を行わずにコンポーネント１３２及び１３３に制御コマンド１６２、１６４を送信するために選択可能なオプションである。例えば、単一オプション１１８の選択により、プロセッサ１０２は、電子ディスプレイ１０４における追加の入力を示すダイアログウィンドゥ（例えば、ポップアップウィンドゥ）を提示することなく、サブシステムコントローラ１２０に、コンポーネント１３２及び１３３に制御コマンド１６２、１６４を送信させることができる。このように、単一オプション１１８は、当該単一オプション１１８の選択に応答してコンポーネント１３２、１３３に制御コマンド１６２、１６４を送信するために、選択可能である。
【００２７】
これに代えて、或いは、これに加えて、いくつかの実施形態においては、単一オプション１１８の選択により、プロセッサ１０２が、電子ディスプレイ１０４を制御して、当該電子ディスプレイに、ダイアログウィンドゥ（例えば、ポップアップウィンドゥ）を提示させるようにしてもよい。さらに、プロセッサ１０２は、サブシステムコントローラ１２０を制御して、当該コントローラが、ダイアログウィンドゥにおける入力に応答して制御コマンド１６２、１６４をコンポーネント１３２及び１３３に送信するようにしてもよい。図４を参照しながら以下に詳述するように、いくつかの例においては、単一オプション１１８の選択に応答して提示されるダイアログウィンドゥは、コンポーネント１３２、１３３の状態を示すコンポーネント状態データと、コマンド状態データとを含む。図４を参照しながら以下に詳述するように、いくつかの例においては、ダイアログウィンドゥは、非アクティブコマンド部分と、アクティブコマンド部分とを含む。例えば、単一オプション１１８は、コンポーネント１３２、１３３をＯＦＦ状態に設定することを指示するチェックリスト項目に関連している。この例においては、ダイアログウィンドゥは、ＯＦＦコマンドに対応する領域と、ＯＮコマンドに対応する領域とを表示している。この例においては、ＯＦＦコマンドに対応する領域は、アクティブ（例えば、選択可能）であり、ＯＮコマンドに対応する領域は、非アクティブ（例えば、選択不可能）である。したがって、ダイアログウィンドゥにより、チェックリスト項目に関連する状態と一致するコマンド状態を選択可能にするとともに、チェックリスト項目に関連する状態と一致しないコマンド状態を選択不可能にすることができる。他の例としては、図４を参照しながら以下に詳述するように、非アクティブコマンド部分及びアクティブコマンド部分は、コンポーネント１３２、１３３の状態判断に基づいたものであってもよい。
【００２８】
このように、電子ディスプレイ１０４は、単一の選択操作（例えば、単一のタッチ入力）により複数のコンポーネントの状態を制御するために選択可能なマクロ機能を含みうる。したがって、電子ディスプレイ１０４は、（例えば、個別機能を介して）コンポーネントを個別に制御するために、又は、マクロ機能の実行により複数のコンポーネントを制御するために、電子対話型制御インターフェース（例えば、タッチスクリーン）を提供する。電子対話型制御インターフェースを用いてコンポーネントの状態を制御することにより、物理的な制御パネルを用いるシステムと比較して、大きさ、重量、製造費、及び、維持費を抑えることができる。さらに、マクロ機能により、一回のやりとり（例えば、電子対話型制御インターフェースにおける単一のタッチ入力）で複数のコンポーネントを制御することができるため、表示システム１０１は、ユーザ入力（例えば、タッチ入力）毎に単一のコンポーネントの状態しか制御できない表示システムと比較すると、複数のコンポーネントに関連するチェックリスト項目の作業を完了するために行うユーザと電子ディスプレイ（例えば、タッチスクリーン）との間のやりとりを少なくすることができる。
【００２９】
さらに、図６を参照しながら以下に詳述するように、マクロ機能の実行にダイアログウィンドゥを用いるいくつかの実施形態においては、単一オプション１１８に関連する１つ又は複数の機能の選択を解除することができる。これらの例においては、プロセッサ１０２は、複数のコンポーネント１３２、１３３のうちの一方のコンポーネント（例えば、選択解除されたコンポーネント）の状態の標示をダイアログウィンドゥから削除して、マクロ機能のうち、選択解除されたコンポーネントに関連する機能を無効化又は回避するか、或いは、これらの両方を行うことにより、ダイアログウィンドゥの入力によって、選択解除されたコンポーネントに制御コマンドが送信されるのを防止する（例えば、ダイアログウィンドゥを介して、選択解除されたコンポーネントが制御されるのを防止する）ように構成することができる。例えば、選択解除されたコンポーネントは、コンポーネント１３３に対応している。この場合、図６を参照しながら以下に詳述するように、コンポーネント１３３の選択を解除することにより、プロセッサ１０２は、サブシステムコントローラ１２０に対して制御コマンド１６４の送信を指示しないので、制御コマンド１６４の送信は行われない。したがって、ダイアログウィンドゥが表示された後の一覧ページ１０８における入力に応答して、選択解除されたコンポーネントが、ダイアログウィンドゥを介して制御されるのを無効化することができる。コンポーネント１３２、１３３のうちの選択解除されたコンポーネント（例えば、コンポーネント１３３）に関連する、マクロ機能における機能が無効化又は回避されるので、単一オプション１１８を選択しても、制御コマンド１６４が選択解除されたコンポーネントに送信されることはない。したがって、いくつかの実施形態においては、表示システム１０１（例えば、プロセッサ１０２）は、サブシステムコントローラ１２０に、サブシステムのコンポーネントのうちの１つ又は複数の選択解除に基づいて単一オプション１１８に関連付けられたサブシステムのコンポーネントの部分集合（例えば、コンポーネントの全てではなく一部）に対して、単一オプション１１８に関連するユーザ入力に基づいて、１つ又は複数の制御コマンドを送信させるように構成することができる。
【００３０】
図２は、電子チェックリスト１０６と、個別機能及びマクロ機能を有する一覧ページ１０８と、を含む（例えば、提示又は表示する）、電子ディスプレイ１０４の例を示す。この例においては、電子チェックリスト１０６及び一覧ページ１０８は、燃料サブシステムに関連付けられている。燃料サブシステムは、図１に示すコンポーネント１３２、１３３などの、複数のコンポーネントを含む。例えば、コンポーネント１３２、１３３は、複数の燃料投棄ノズルに対応している。この例においては、電子チェックリスト１０６は、燃料投棄処理に関連するチェックリスト項目を含む。例えば、電子チェックリスト１０６は、燃料投棄準備スイッチ（fuel jettison arm switch）を待機状態にする（armed）ことに関連するチェックリスト項目２０２と、燃料残量セレクタ（fuel to remain selector）を設定することに関連するチェックリスト項目２０３と、コンポーネント１３２、１３３をＯＮ状態に設定することに関連するチェックリスト項目２０４と、コンポーネント１３２、１３３をＯＦＦ状態に設定することに関連するチェックリスト項目１１４と、燃料投棄準備スイッチをＯＦＦ状態に設定することに関連するチェックリスト項目２０５とを含む。したがって、電子チェックリスト１０６は、複数のコンポーネントの状態に関連するチェックリスト項目２０４と、複数のコンポーネントの状態に関連するチェックリスト項目１１４を含む。
【００３１】
電子ディスプレイ１０４及びプロセッサ１０２は、一覧ページ１０８において、１つのコンポーネントに対応する領域で行われる入力に応じて、個別機能を実行するように構成されうる。例えば、領域２０８は、単一スイッチ（図示略）の状態を示す記号を含みうる。プロセッサ１０２は、領域２０８における入力に応答して、単一スイッチの状態を制御するための機能を実行又は開始するように構成されうる。例えば、プロセッサ１０２は、領域２０８における入力を検出するように構成されうる。領域２０８における入力に応答して、プロセッサ１０２は、単一スイッチの状態の変更を開始する。例えば、単一スイッチは、最初、ＯＮ状態であり、プロセッサ１０２は、領域２０８における入力を検出する。プロセッサ１０２は、領域２０８における入力に応答して、単一スイッチをＯＦＦ状態に設定することを示す信号をサブシステムコントローラ１２０に送信する。サブシステムコントローラ１２０は、単一スイッチに制御コマンドを送信して、当該スイッチをＯＦＦ状態に設定する。これに加え、或いはこれに代えて、プロセッサ１０２は、領域２０８における入力に応答して単一スイッチの状態を変更する際、図３を参照しながら以下に詳述するように、ダイアログウィンドゥを表示させるとともに、当該ダイアログウィンドゥへの入力に応答して、サブシステムコントローラ１２０に信号を送信することにより、スイッチの状態の変更を開始してもよい。したがって、図１に示すプロセッサ１０２及び図２に示す電子ディスプレイ１０４は、一覧ページ１０８における入力、具体的には、一覧ページ１０８における１つのコンポーネントに関連する領域に対する入力に基づいて、（例えば、複数のコンポーネントとは対照的に）１つのコンポーネントの状態を制御するための個別機能を含むように構成される。
【００３２】
電子ディスプレイ１０４及びプロセッサ１０２は、マクロ機能を実行するように、さらに構成される。マクロ機能を実行するために、図１に示すプロセッサ１０２は、電子チェックリスト１０６が、複数のコンポーネントに関連する少なくとも１つのチェックリスト項目を含むか否か、を判断してもよい。例えば、図１に示すプロセッサ１０２は、電子チェックリスト１０６が、コンポーネント１３２及び１３３に関連するチェックリスト項目２０４を含むか否か、及び、コンポーネント１３２及び１３３に関連するチェックリスト項目１１４を含むか否か、を判断する。いくつかの実施形態においては、電子チェックリスト１０６は、特定の項目が複数のコンポーネントに関連することを示すデータを含み、プロセッサ１０２は、このデータに基づいて、電子チェックリスト１０６が複数のコンポーネントに関連する少なくとも１つのチェックリスト項目を含むか否か、を判断する。プロセッサ１０２は、電子チェックリスト１０６が、複数のコンポーネントの状態（例えば、同じ状態に設定された複数のコンポーネント）に関連する少なくとも１つのチェックリスト項目（例えば、チェックリスト項目２０４又はチェックリスト項目１１４）を含む、との判断に基づいて（このように判断した場合）、電子ディスプレイ１０４に単一オプション１１８を表示させる。単一オプション１１８は、どの瞬間をとっても１つのチェックリスト項目にしか関連付けられていないが、電子チェックリスト１０６の作業を行う過程においては、複数のチェックリスト項目に関連付けられてもよい。例えば、チェックリスト項目２０４がアクティブな場合（例えば、次の処理対象チェックリスト項目である場合、又は、選択されているチェックリスト項目である場合）、単一オプション１１８はチェックリスト項目２０４に関連付けられ、チェックリスト項目１１４がアクティブな場合、単一オプション１１８はチェックリスト項目１１４に関連付けられる。
【００３３】
いくつかの例においては、単一オプション１１８は、記述テキスト２１９を含み、当該テキストは、複数のコンポーネントを特定の状態に設定することを指示するアクティブなチェックリスト項目に関連するコンポーネントを示している（記述している）。例えば、チェックリスト項目１１４がアクティブであって、コンポーネント１３２及び１３３が燃料投棄ノズルに対応する場合、記述テキスト２１９は、燃料投棄ノズルを示している（記述している）。プロセッサ１０２は、当該プロセッサ１０２が、電子チェックリスト１０６の作業を進めるにつれて、記述テキスト２１９を変更するように構成してもよい。例えば、チェックリスト項目２０４は、チェックリスト項目１１４に関連するコンポーネントとは異なるコンポーネントに関連していてもよく、チェックリスト項目２０４がアクティブなときの記述テキスト２１９は、チェックリスト項目１１４がアクティブなときの記述テキスト２１９とは異なるコンポーネントを示す異なるテキストであってもよい。
【００３４】
単一オプション１１８に関連するチェックリスト項目がアクティブな場合、プロセッサ１０２は、電子ディスプレイ１０４に単一オプション１１８を表示させる。例えば、チェックリスト項目２０３に対応する、燃料残量を選択する処理が完了すると、電子チェックリスト１０６の自動進行に基づき、チェックリスト項目２０４が、次の処理対象チェックリスト項目になる。プロセッサ１０２は、チェックリスト項目２０４が次の処理対象チェックリスト項目であると判断すると、チェックリスト項目２０４に関連する単一オプション１１８を表示させる。これに代えて、チェックリスト項目２０４は、ユーザが、電子ディスプレイ１０４に入力を行うことにより選択されてもよい。プロセッサ１０２は、ユーザによるチェックリスト項目２０４の選択に応答して、チェックリスト項目２０４に関連する単一オプション１１８を表示させてもよい。
【００３５】
他の例として、チェックリスト項目２０４に対応する燃料投棄処理が完了すると、電子チェックリスト１０６の自動進行に基づき、チェックリスト項目１１４が、次の処理対象チェックリスト項目になってもよい。プロセッサ１０２は、チェックリスト項目１１４が次の処理対象チェックリスト項目であると判断すると、チェックリスト項目１１４に関連する単一オプション１１８を表示させる。これに代えて、チェックリスト項目１１４は、ユーザが、電子ディスプレイ１０４に入力を行うことにより選択されてもよい。プロセッサ１０２は、ユーザによるチェックリスト項目１１４の選択に応答して、チェックリスト項目１１４に関連する単一オプション１１８を表示させてもよい。
【００３６】
いくつかの例においては、複数のコンポーネントに関連するチェックリスト項目がアクティブでない場合（例えば、次の処理対象チェックリスト項目でないか、或いは、選択されたチェックリスト項目でない場合）、単一オプション１１８は表示されない。例えば、次の処理対象チェックリスト項目、又は、選択されたチェックリスト項目がチェックリスト項目２０３である場合、単一オプション１１８は表示されない。これに代えて、或いは、これに加えて、複数のコンポーネントに関連するチェックリスト項目が、アクティブでない場合、単一オプション１１８は、表示されてはいるが非アクティブ（例えば、選択不可能）な状態であってもよい。例えば、次の処理対象チェックリスト項目、又は、選択されたチェックリスト項目がチェックリスト項目２０３である場合、単一オプション１１８は、表示されてはいるが、非アクティブな状態であってもよい。したがって、単一オプション１１８は、複数のコンポーネントに関連するチェックリスト項目が現在のチェックリスト項目である場合にのみ、表示されている状態、又は、アクティブな状態であってもよい。
【００３７】
単一オプション１１８は、一覧ページ１０８に表示されることが図示されているが、他の例においては、単一オプション１１８は、電子チェックリスト１０６に表示されてもよい。例えば、単一オプション１１８は、コンポーネント１３２、１３３の両方をＯＮ状態に設定するために選択可能であってもよく、単一オプション１１８は、チェックリスト項目２０４の近傍に（例えば、同じライン上に）表示されてもよい。これに代えて、単一オプション１１８は、コンポーネント１３２、１３３の両方をＯＦＦ状態に設定するために選択可能であってもよく、単一オプション１１８は、チェックリスト項目１１４の近傍に（例えば、同じライン上に）表示されてもよい。
【００３８】
単一オプション１１８は、コンポーネント１３２及び１３３（例えば、サブシステムの複数のコンポーネント）に対して、図１に示す制御コマンド１６２、１６４を送信するために選択可能なオプションである。例えば、チェックリスト項目２０４がアクティブな場合（例えば、次の処理対象チェックリスト項目、又は、選択されたチェックリスト項目である場合）、当該チェックリスト２０４に示された状態又はこれに関連する状態に従ってコンポーネント１３２、１３３を設定すべく当該コンポーネント１３２、１３３に制御コマンド１６２、１６４を送信するために、単一オプション１１８を選択することができる。他の例としては、チェックリスト項目１１４がアクティブな場合、当該チェックリスト１１４に示された状態又はこれに関連する状態に従ってコンポーネント１３２、１３３を設定すべく当該コンポーネント１３２、１３３に制御コマンド１６２、１６４を送信するために、単一オプション１１８を選択することができる。
【００３９】
いくつかの実施形態においては、（電子ディスプレイ１０４において追加の入力を行わずに）単一オプション１１８の選択に応答して、コンポーネント１３２及び１３３に制御コマンド１６２、１６４を直接送信するために、単一オプション１１８を選択することができる。例えば、単一オプション１１８の選択により、プロセッサ１０２は、電子ディスプレイ１０４における追加の入力を示すダイアログウィンドゥ（例えば、ポップアップウィンドゥ）を提示することなく、サブシステムコントローラ１２０により、コンポーネント１３２及び１３３に制御コマンド１６２、１６４を送信させることができる。
【００４０】
例えば、次の処理対象チェックリスト項目又は選択されたチェックリスト項目は、（例えば、電子チェックリスト１０６の自動進行、又は、ユーザからの入力に基づき）チェックリスト項目２０４に対応しており、プロセッサ１０２は、チェックリスト項目２０４に関連する単一オプション１１８を表示する。ユーザは、単一オプション１１８を選択することができる。例えば、電子ディスプレイ１０４は、タッチスクリーン式ディスプレイであり、ユーザは、単一オプション１１８に対応する電子ディスプレイ１０４の領域でタッチ入力を行う。プロセッサ１０２は、単一オプション１１８の選択を検出し、コンポーネント１３２、１３３をＯＮ状態に設定することを示す信号（例えば、命令）を、サブシステムコントローラ１２０に送信する。サブシステムコントローラ１２０は、プロセッサ１０２から信号を受信すると、コンポーネント１３２、１３３の各々をＯＮ状態に設定するために、コンポーネント１３２、１３３に制御コマンド１６２、１６４（例えば、複数の制御コマンド）を送信する。他の例として、次の処理対象チェックリスト項目又は選択されたチェックリスト項目は、（例えば、電子チェックリスト１０６の自動進行、又は、ユーザからの入力に基づき）チェックリスト項目１１４に対応しており、プロセッサ１０２は、チェックリスト項目１１４に関連する単一オプション１１８を表示する。ユーザは、（例えば、上述したようにタッチ入力により）単一オプション１１８を選択することができる。プロセッサ１０２は、単一オプション１１８の選択を検出し、コンポーネント１３２、１３３をＯＦＦ状態に設定することを示す信号（例えば、命令）を、サブシステムコントローラ１２０に送信する。サブシステムコントローラ１２０は、プロセッサ１０２から信号を受信すると、コンポーネント１３２、１３３の各々をＯＦＦ状態に設定するために、コンポーネント１３２、１３３に制御コマンド１６２、１６４を送信する。
【００４１】
したがって、単一オプション１１８を（例えば、タッチ入力により）選択すると、当該単一オプション１１８の選択に応答して複数のコンポーネント１３２、１３３に制御コマンド１６２、１６４が送信されるようにしてもよい。これに代えて、或いは、これに加えて、いくつかの実施形態においては、単一オプション１１８を選択すると、当該単一オプション１１８の選択に応答してコンポーネント１３２及び１３３に制御コマンド１６２、１６４が間接的に送信されるようにしてもよい。例えば、先に図１を参照して詳細に説明したように、さらに、以下に図４を参照して詳細に説明するように、単一オプション１１８を選択すると、当該単一オプション１１８の選択に応答して表示されるダイアログウィンドゥでの入力に基づいて（応答して）コンポーネント１３２、１３３に制御コマンド１６２、１６４が送信されるようにしてもよい。
【００４２】
図３は、個別機能の実行中における図２の電子ディスプレイ１０４の例を示す。電子ディスプレイ１０４は、単一スイッチ（例えば、右側メイン前方スイッチ（right main forward switch））に関連する領域２０８に応答して表示されるダイアログウィンドゥ（例えば、ポップアップウィンドゥ）３０２を含む。領域２０８における入力に応答して、一覧ページ１０８における領域２０８以外の部分を反強調表示（de-emphasized）することで（例えば、グレー表示する）、領域２０８を強調することができる。ポップアップウィンドゥ３０２は、領域２０８に関連する単一スイッチの記号表示３０８と、領域２０８に関連する単一スイッチの現在の状態を示すテキスト３１０とを含む。ポップアップウィンドゥ３０２は、さらに、複数のコマンド実行ブロックを表示する。例えば、ポップアップウィンドゥ３０２は、ＯＦＦコマンド実行ブロック３０４と、ＯＮコマンド実行ブロック３０６と、ＣＡＮＣＥＬコマンド実行ブロック３１２とを表示する。
【００４３】
いくつかの例においては、対応するスイッチ又はコンポーネントの現在の状態に対応するコマンド実行ブロックは、非アクティブ（例えば、選択不可能）であってもよい。例えば、領域２０８（例えば、領域２０８における状態データ）は、単一スイッチがＯＮ状態であることを示しているため、ＯＮコマンド実行ブロック３０６は非アクティブ状態であってもよい。この例においては、領域２０８に関連する単一スイッチをＯＦＦ状態に設定するために、ＯＦＦコマンド実行ブロック３０４がアクティブ（例えば、選択可）である。例えば、ポップアップウィンドゥ３０２は、領域２０８における入力に応答して表示される。ユーザは、ＯＦＦコマンド実行ブロック３０４を選択することができる。プロセッサ１０２は、ＯＦＦコマンド実行ブロック３０４の選択を検出し、領域２０８に関連する単一スイッチをＯＦＦ状態に設定することを示す信号（例えば、命令）を、サブシステムコントローラ１２０に送信する。サブシステムコントローラ１２０は、領域２０８に関連する単一スイッチに制御コマンドを送信して、当該スイッチをＯＦＦ状態に設定する。
【００４４】
したがって、領域２０８を選択することにより、当該領域２０８に関連する単一スイッチを制御することができる。このように、一覧ページ１０８は、１つのコンポーネントを制御するために選択可能な少なくとも１つの部分又は領域を含むことにより、個別機能を実現している。
【００４５】
図４は、マクロ機能の実行中における図２の電子ディスプレイ１０４の例を示す。電子ディスプレイ１０４は、単一オプション１１８における入力に応答してポップアップウィンドゥ４０２を表示する。単一オプション１１８における入力に応答して、一覧ページ１０８における単一オプション１１８以外の部分を反強調表示することで（例えば、グレー表示する）、単一オプション１１８を強調することができる。ポップアップウィンドゥ４０２は、複数のコンポーネント１３２、１３３の記号表示（状態データ４０８及び４１４）を含む。ポップアップウィンドゥ４０２は、さらに、複数のコマンド実行ブロックを表示する。例えば、ポップアップウィンドゥ４０２は、ＯＦＦコマンド実行ブロック４０４と、ＯＮコマンド実行ブロック４０６と、ＣＡＮＣＥＬコマンド実行ブロック４１２とを表示する。
【００４６】
いくつかの例においては、ポップアップウィンドゥ４０２の内容又は機能は、複数のコンポーネントの状態判断によって異なる。例えば、複数のコンポーネントが同じ状態であると判断された場合、判断された対応するスイッチ又はコンポーネントの状態に対応するコマンド実行ブロックは、非アクティブ（例えば、選択不可能）であってもよい。例えば、プロセッサ１０２は、コンポーネント１３２及び１３３がＯＮ状態であると判断する。この例においては、プロセッサ１０２によりコンポーネント１３２及び１３３の両方がＯＮ状態であると判断されたことに基づいて、ＯＮコマンド実行ブロック４０６が、非アクティブ（例えば、選択不可能）である。
【００４７】
これに代えて、或いは、これに加えて、コンポーネント１３２及び１３３が異なる状態にあると判断された場合、両方の状態に対応するコマンド実行ブロックがアクティブであってもよい。例えば、プロセッサ１０２は、コンポーネント１３２がＯＮ状態であり、コンポーネント１３３がＯＦＦ状態であると判断する。この例においては、ＯＦＦコマンド実行ブロック４０４及びＯＮコマンド実行ブロック４０６は、両方ともアクティブであり、プロセッサ１０２は、サブシステムコントローラ１２０に、選択された状態にないコンポーネントに対して制御コマンドを送信させるように構成されてもよい。具体的には、上記例において、ユーザがＯＦＦコマンド実行ブロック４０４を選択した場合、プロセッサ１０２は、コンポーネント１３２をＯＦＦ状態に設定することを指示する信号をサブシステムコントローラ１２０に送信することにより、サブシステムコントローラ１２０に、コンポーネント１３２をＯＦＦ状態に設定するための制御コマンドをコンポーネント１３２に対して送信させてもよい。これに代えて、或いは、これに加えて、プロセッサ１０２は、コンポーネントの現在の状態がどうであれ、サブシステムコントローラ１２０に、単一オプション１１８に関連するコンポーネントの全てに制御コマンドを送信させるように、構成されてもよい。具体的には、上記例において、ユーザがＯＦＦコマンド実行ブロック４０４を選択した場合、プロセッサ１０２は、コンポーネント１３２、１３３をＯＦＦ状態に設定することを指示する信号をサブシステムコントローラ１２０に送信することにより、サブシステムコントローラ１２０に、コンポーネント１３２、１３３をＯＦＦ状態に設定するための制御コマンドをコンポーネント１３２、１３３に対して送信させてもよい。
【００４８】
これに加えて、或いはこれに代えて、アクティブなチェックリスト項目に関連する状態以外の状態に対応するコマンド実行ブロックは、非アクティブ（例えば、選択不可能）であってもよい。例えば、アクティブなチェックリスト項目は、チェックリスト項目１１４であり、コンポーネント１３２及び１３３は、両方ともＯＮ状態である。この例においては、ＯＮコマンド実行ブロック４０６は、非アクティブである。この例においては、コンポーネント１３２及び１３３をＯＦＦ状態に設定するために、ＯＦＦコマンド実行ブロック４０４はアクティブ（例えば、選択可能）である。例えば、ポップアップウィンドゥ４０２は、単一オプション１１８における入力（例えば、タッチ入力）に応答して表示される。ユーザは、（例えば、タッチ入力により）ＯＦＦコマンド実行ブロック４０４を選択することができる。プロセッサ１０２は、ＯＦＦコマンド実行ブロック４０４の選択を検出し、コンポーネント１３２、１３３をＯＦＦ状態に設定することを示す信号（例えば、命令）を、サブシステムコントローラ１２０に送信する。サブシステムコントローラ１２０は、コンポーネント１３２及び１３３にコマンドを送信して、コンポーネント１３２及び１３３をＯＦＦ状態に設定する。
【００４９】
このように、単一オプション１１８の選択に応答して、ポップアップウィンドゥ４０２が表示される。複数のコンポーネント（例えば、コンポーネント１３２及び１３３）にコマンドを送信してこれらのコンポーネントの状態を制御するために、ポップアップウィンドゥ４０２の１つのコマンド実行ブロックが選択される。
【００５０】
図５は、図４のＯＦＦコマンド実行ブロック４０４を選択した後の、図２の電子ディスプレイ１０４の例を示す。図４に示すＯＦＦコマンド実行ブロック４０４の選択に応答して、コンポーネント１３２、１３３がＯＦＦ状態に設定される（例えば、ＯＮ状態からＯＦＦ状態に変更される）。プロセッサ１０２は、コンポーネント１３２、１３３がＯＦＦ状態に設定されたことを示す標示（indication）を検出又は受信し、一覧ページ１０８に、複数のコンポーネントに対応するコンポーネント状態データ及びコマンド状態データを調節させて、検出された複数のコンポーネントの状態を表示させる。例えば、プロセッサは、コンポーネント１３２、１３３がＯＦＦ状態に設定されたことを示す標示の検出又は受信に応答して、コンポーネント１３２、１３３に関連するテキスト（例えば、コマンド状態データ）１４０、１４２をＯＦＦ表示にするとともに、コンポーネント１３２、１３３に関連する記号（例えば、コンポーネント状態データ）１４４、１４６を、コンポーネント１３２、１３３がＯＦＦ状態に設定されたことを示す記号に変更する。
【００５１】
プロセッサ１０２は、アクティブなチェックリスト項目の作業が完了すると、電子チェックリスト１０６に、当該チェックリスト項目の作業が完了したことを表示させてから、次の処理対象チェックリスト項目に進む。例えば、プロセッサ１０２は、チェックリスト項目１１４の作業が完了すると、電子チェックリスト１０６を制御して、当該電子チェックリストが、チェックリスト項目１１４の近傍（例えば、同じライン上）に標示（例えば、チェックマークなどの印）を表示するようにする。この例においては、プロセッサ１０２は、チェックリスト項目１１４の作業が完了すると、チェックリスト項目２０５に進む。例えば、プロセッサ１０２は、チェックリスト項目１１４の作業が完了すると、電子ディスプレイ１０４のチェックリスト項目２０５を強調するとともに、チェックリスト項目２０５が複数のコンポーネントに関連しているか否か、を判断する。この例において、チェックリスト項目２０５は、複数のコンポーネントに関連していないので、プロセッサは、単一オプション１１８を表示しないか、或いは、単一オプション１１８を非アクティブ状態（例えば、選択不可）にする。
【００５２】
図６は、マクロ機能のうち、チェックリスト項目１１４に関連する機能の選択を解除した後の、図２の電子ディスプレイ１０４の例を示す。電子ディスプレイ１０４は、一覧ページ１０８における入力に基づいて変更された図４のポップアップウィンドゥ４０２を含む。この例においては、プロセッサ１０２は、図４のポップアップウィンドゥ４０２の表示後の一覧ページ１０８における入力に基づいて、コンポーネント１３２、１３３のうちの一方のコンポーネント（例えば、選択解除されたコンポーネント）の状態の標示を、ポップアップウィンドゥ４０２から削除するとともに、ポップアップウィンドゥ４０２におけるコマンド実行ブロックと選択解除されたコンポーネントとの関連付けを解除する。これにより、プロセッサ１０２は、選択解除されたコンポーネントに関連するマクロ機能を回避又は無効化する（例えば、選択解除されたコンポーネントがポップアップウィンドゥ４０２を介して制御されるのを不可能にする）。
【００５３】
この例においては、ポップアップウィンドゥ４０２が表示された後に、選択解除されたコンポーネントの状態の標示が削除される。例えば、先に図４を参照しながら説明したように、図４に示すポップアップウィンドゥ４０２は、コンポーネント１３２に関連する状態データ４０８、４１６と、コンポーネント１３３に関連する状態データ４１４、４１０とを含んで表示される。先に図４を参照しながら説明したように、図４のポップアップウィンドゥ４０２が表示されている間は、コマンド実行ブロック４０４は、コンポーネント１３２及びコンポーネント１３３に関連付けられており、コマンド実行ブロック４０４の選択により、コンポーネント１３２とコンポーネント１３３との両方がＯＦＦ状態に設定されるようになっている。図４のポップアップウィンドゥ４０２が表示されている状態で、ユーザは、コンポーネント１３３（例えば、選択解除されたコンポーネント）に対応する一覧ページ１０８の領域１５４において入力を行うことができる。プロセッサ１０２は、領域１５４における入力に応答して、ポップアップウィンドゥ４０２から、選択解除されたコンポーネント１３３に対応するコンポーネント状態データ４１４及びコマンド状態データ４１０を削除する。これに加えて、或いはこれに代えて、プロセッサ１０２は、領域１５４における入力に応答して、選択解除されたコンポーネント１３３に関連する機能（マクロ機能）を無効化又は回避し、これにより、ポップアップウィンドゥ４０２における入力によりコンポーネント１３３の状態が制御されないようにする。
【００５４】
例えば、図４のポップアップウィンドゥ４０２が表示された後、ユーザは、コンポーネント１３３（例えば、選択解除されたコンポーネント）に対応する一覧ページ１０８の領域１５４において入力（例えば、タッチ入力）を行う。この例においては、ユーザは、その後、ポップアップウィンドゥ４０２のＯＦＦコマンド実行ブロック４０４を（例えば、タッチ入力により）選択する。プロセッサ１０２は、ＯＦＦコマンド実行ブロック４０４の選択に応答して、コンポーネント１３２をＯＦＦ状態に設定することを示す信号（例えば、命令）を、サブシステムコントローラ１２０に送信する。この信号は、コンポーネント１３３をＯＦＦ状態に設定することは示していない。サブシステムコントローラ１２０は、プロセッサ１０２からの信号に応答して、コンポーネント１３２をＯＦＦ状態に設定するためにコンポーネント１３２にコマンドを送信し、コンポーネント１３３にはコマンドを送信しない。したがって、コンポーネント１３２の動作は、ＯＦＦコマンド実行ブロック４０４の選択に応答して停止されるが、コンポーネント１３３の動作は、ＯＦＦコマンド実行ブロック４０４の選択に応じて停止されない。
【００５５】
このように、プロセッサ１０２は、複数のコンポーネントのうちの１つのコンポーネント（例えば、選択解除されたコンポーネント）に対応する一覧ページの特定の部分における入力に応答して、ポップアップウィンドゥから状態データを削除するように構成されている。プロセッサは、さらに、サブシステムコントローラ１２０が、ポップアップウィンドゥにおけるコマンド実行ブロックの選択に応答して、選択解除されたコンポーネントに対するコマンドを送信しないように、選択解除されたコンポーネントに関連するマクロ機能のうちの１つ又は複数の機能を回避又は無効化するように構成されている。したがって、マクロ機能は、一覧ページ１０８における入力により、当該マクロ機能のうちの１つ又は複数の機能の選択が解除されるように構成することができる。
【００５６】
図７は、マクロ機能を有する概要パネルを提供する方法７００を示す。図７に示す方法７００は、図１に示す表示システム１０１により実行されてもよい。
【００５７】
方法７００は、７０２において、電子ディスプレイに電子チェックリストを表示することを含む。電子ディスプレイは、図１〜６に示す電子ディスプレイ１０４に対応し、電子チェックリストは、図１〜６に示す電子チェックリスト１０６に対応している。
【００５８】
方法７００は、７０４において、電子チェックリストが電子チェックリストに関連するサブシステムの複数のコンポーネントの状態に関するチェックリスト項目を含むか否か、を判断する。複数のコンポーネントは、図１に示す複数のコンポーネント１３２及び１３３に対応し、チェックリスト項目は、図１〜６に示すチェックリスト項目１１４及び／又は図２〜６に示すチェックリスト項目２０４に対応し、先に図１及び２を参照しながら説明したように、図１に示すプロセッサ１０２は、電子チェックリストがチェックリスト項目１１４又はチェックリスト項目２０４を含むか否か、を判断する。
【００５９】
方法７００は、７０６において、電子チェックリストが、複数のコンポーネントの状態に関連するチェックリスト項目を含む、との判断に基づいて、複数のコンポーネントに制御コマンドを送信するために選択可能な単一オプションを、電子ディスプレイに表示することを含む。単一オプション１１８は、図１〜６に示す単一オプション１１８に対応している。先に図１及び２を参照しながら説明したように、単一オプションは、電子ディスプレイに表示される。例えば、先に図１及び２を参照しながら説明したように、単一オプションは、これに対応する、複数のコンポーネントに関連するチェックリスト項目がアクティブな場合にのみ表示される。これに加えて、或いはこれに代えて、先に図１及び２を参照しながら説明したように、単一オプションは、一覧ページ又は電子チェックリストに表示されてもよい。
【００６０】
いくつかの実施形態において、図７に示す方法７００は、電子ディスプレイに一覧ページを表示することを、さらに含む。一覧ページは、先に図１〜６を参照しながら述べた一覧ページ１０８に対応している。
【００６１】
いくつかの実施形態においては、図７に示す方法７００は、単一オプションの選択に応答して、複数のコンポーネントに制御コマンドを送信することを、さらに含む。例えば、先に図１及び２を参照しながら説明したように、図１に示すプロセッサ１０２は、図１〜６に示す単一オプション１１８の選択を検出し、複数のコンポーネントの特定の状態を示す信号をサブシステムコントローラ１２０に送信する。また、サブシステムコントローラ１２０は、複数の制御コマンド（例えば、制御コマンド１６２、１６４）を複数のコンポーネント（例えば、コンポーネント１３２、１３３）に送信する。
【００６２】
いくつかの実施形態においては、先に図４に示すポップアップウィンドゥ４０２を参照しながら説明したように、図７に示す方法７００は、単一オプションの選択に応答して、電子ディスプレイにポップアップウィンドゥを表示することを、さらに含む。先に図４を参照しながら説明したように、ポップアップウィンドゥの内容は、判断された複数のコンポーネントの状態判断に応じて決定される。
【００６３】
いくつかの実施形態においては、図７に示す方法７００は、先に図１及び６を参照しながら説明したように、ポップアップウィンドゥから、複数のコンポーネントのうちの１つのコンポーネントの状態の標示を削除するか、ポップアップウィンドゥを介した１つのコンポーネントの制御を無効化するか、或いは、この両方を行うことを、さらに含む。いくつかの実施形態においては、先に図６を参照しながら説明したように、ポップアップウィンドゥが表示された後の一覧ページにおける入力に応答して、標示が削除されるとともにポップアップウィンドゥを介した１つのコンポーネントの制御が無効化される。いくつかの実施形態においては、先に図６に示す領域１５４を参照しながら説明したように、上記１つのコンポーネントの表示に関連する一覧ページの一部において、入力が実行される。
【００６４】
いくつかの実施形態においては、図７に示す方法７００は、アクティブなチェックリスト項目に関連する、一覧ページ１０８の領域、又は、一覧ページ１０８におけるコンポーネントの表示をハイライト又は強調するように構成されている。例えば、チェックリスト項目１１４がアクティブな場合、プロセッサ１０２は、コンポーネント１３２及び１３３に関連する領域１５２及び１５４をハイライト又は強調する。これに加えて、或いはこれに代えて、いくつかの実施形態においては、図７に示す方法７００は、アクティブなチェックリスト項目に関連する航空機１００における物理的な制御部（図示略）の周囲を縁取り線又はラインで強調することを、さらに含む。例えば、チェックリスト項目がアクティブな場合、バックライトを用いて、チェックリスト項目に関連する物理的な制御部の周囲の縁取り線又はラインを照らしてもよい（また、チェックリスト項目が非アクティブな場合、これらを照らさなくてもよい）。
【００６５】
図８を参照すると、マクロ機能を有するように構成された表示システムを含む航空機のライフサイクルを示すフロー図が示されている。生産開始前の工程として、例示的な方法８００は、８０２において、図１に示す航空機１００などの航空機の仕様決定及び設計を含む。航空機の仕様決定及び設計中の工程として、方法８００は、８２０において、表示システムの仕様決定及び設計を含みうる。表示システムは、（図１〜６を参照して説明した）図１に示す表示システム１０１に対応しうる。方法８００は、８０４において、材料調達を含む。方法８００は、８３０において、表示システムのための材料を調達することを含む。
【００６６】
生産中の工程として、方法８００は、８０６において、部品及び小組立品の製造を含み、８０８において、プラットフォームのシステムインテグレーションを含む。方法８００は、８４０において、部品及び小組立品の製造（例えば、電子ディスプレイの製造）を含みうる。また、８５０において、表示システムのシステムインテグレーションを含みうる。例えば、表示システムは、航空機に搭載される。方法８００は、８１０において、航空機の認可及び納品を含み、８１２において、航空機を就航させる。認可及び納品の工程は、８６０における、表示システムの認可を含みうる。方法８００は、８７０において、航空機を就航させる。顧客による就航期間中、航空機は、定例の整備及び保守（これは、改良、再構成、改修などを含みうる）に組み込まれうる。方法８００は、８１４において、航空機の整備及び保守を行うことを含む。方法８００は、８８０において、表示システムの整備及び保守を行うことを含む。例えば、武器・制御システムの整備及び保守は、表示システムの電子ディスプレイにおける１つ又は複数のコンポーネントを交換することを含みうる。
【００６７】
方法８００における各工程は、システムインテグレーター、第三者、及び／又は、オペレータ（例えば、顧客）によって実行又は実施することができる。説明のために言及すると、システムインテグレーターは、メーカー及び主要システム下請業者をいくつ含んでいてもよいが、これに限定されない。第三者は、売主、下請業者、及び供給業者をいくつ含んでいてもよいが、これに限定されない。オペレータは、航空会社、リース会社、軍事団体、サービス組織などであってもよい。
【００６８】
図９を参照すると、マクロ機能を有するように構成された表示システム１０１を含む航空機１００の例を示すブロック図が示されている。図９に示すように、航空機は、機体９１８と、内装９２２と、１つ又は複数のエンジン９４４と、サブシステムコントローラ１２０と、命令９８２を格納した非一時的プロセッサ可読媒体９８１と、複数のシステム９２０と、を含む。システム９２０は、１つ又は複数の揚力及び推進系９８０と、電気系９２６と、油圧系９２８と、環境系９３０と、プロセッサ１０２及び電子ディスプレイ１０４を含む表示システム１０１と、通信系９６０と、コンポーネント１３２及び１３３を含む燃料システム９７０と、を含みうる。なお、その他のシステムをいくつ含んでもよい。１つ又は複数のエンジン９４４は、揚力及び推進系９８０の一部であってもよい。コンポーネント１３２及び１３３は、燃料系９７０の一部として示されているが、コンポーネント１３２及び１３３は、揚力及び推進系９８０、電気系９２６、油圧系９２８、環境系９３０、通信系９６０、及び、これらの組み合わせにおける複数のコンポーネントに対応していてもよい。
【００６９】
命令９８２は、プロセッサ１０２により実行されると、上述した機能のうちの任意のものをプロセッサ１０２に実行させることができる。例えば、命令９８２は、プロセッサ１０２により実行されると、先に図１〜７を参照しながら説明したように、プロセッサ１０２が電子ディスプレイ１０４に電子チェックリスト１０６を表示させるように、当該プロセッサを制御することができる。命令９８２は、プロセッサ１０２により実行されると、先に図１〜７を参照しながら説明したように、プロセッサ１０２に、電子チェックリスト１０６が当該電子チェックリスト１０６に関連するサブシステム（例えば、燃料系９７０）の複数のコンポーネント（例えば、コンポーネント１３２、１３３）の状態についてのチェックリスト項目が含まれているか否か、を判断させることができる。命令９８２は、プロセッサ１０２により実行されると、先に図１〜７を参照しながら説明したように、プロセッサ１０２に、電子チェックリスト１０６が、複数のコンポーネントの状態に関連するチェックリスト項目を含む、との判断に基づいて、電子ディスプレイ１０４に、複数のコンポーネントに制御コマンドを送信するために選択可能な単一オプション１１８を表示させるようにすることができる。プロセッサ１０２は、オペレータによる１つ又は複数の入力（例えば、オペレータによる、単一オプション１１８を選択する入力）に応答して、サブシステムコントローラ１２０に１つ又は複数のコマンドを送信して、図９に示すシステム９２０のうちの１つ又は複数のシステムにおける１つ又は複数のコンポーネントの状態を変更することができる。
【００７０】
本明細書で具現化される装置及び方法は、方法８００における１つ又は複数のどの段階において採用してもよい。例えば、製造工程８０６に対応する部品又は小部品は、例えば、８１２において、航空機１００が就航している期間に製造されるコンポーネント又は小部品と同様に作製又は製造することができる。また、１つ又は複数の装置の実施例、方法の実施例、又は、これらの組み合わせを、例えば、８１２において、航空機１００が就航している期間に用いてもよく、具体的には、８１４において、整備及び保守に用いてもよいが、これに限定されない。
【００７１】
さらに、本開示は、以下の付記による例を含む。
【００７２】
付記１．電子ディスプレイ（１０４）に電子チェックリスト（１０６）を表示し、
前記電子チェックリストが、前記電子チェックリストに関連するサブシステムの複数のコンポーネント（１３２、１３３）の状態に関するチェックリスト項目（１１２、１１４、２０２〜２０５）を含むか否か、を判断し、
前記電子チェックリストが、前記複数のコンポーネントの状態に関連する前記チェックリスト項目を含む、との判断に基づいて、前記複数のコンポーネントに制御コマンド（１６２、１６４）を送信するために選択可能な単一オプション（１１８）を、前記電子ディスプレイに表示する、ことを含む方法。
【００７３】
付記２．前記単一オプションの選択に応答して、前記複数のコンポーネントに前記制御コマンドを送信することを、さらに含む、付記１に記載の方法。
【００７４】
付記３．前記電子ディスプレイに一覧ページ（１０８）を表示することをさらに含み、前記単一オプションは、前記一覧ページに表示される、付記１に記載の方法。
【００７５】
付記４．前記単一オプションは、前記チェックリスト項目が次の処理対象チェックリスト項目である場合に、前記電子ディスプレイに表示される、付記１に記載の方法。
【００７６】
付記５．前記単一オプションは、前記チェックリスト項目が、選択されたチェックリスト項目である場合に表示される、付記１に記載の方法。
【００７７】
付記６．前記単一オプションの選択に応答して、前記電子ディスプレイにポップアップウィンドゥ（３０２、４０２）を表示することをさらに含み、前記ポップアップウィンドゥの内容は、前記複数のコンポーネントの状態判断に応じて決定される、付記１に記載の方法。
【００７８】
付記７．前記ポップアップウィンドゥから前記複数のコンポーネントのうちの１つのコンポーネントの状態の標示を削除するか、前記ポップアップウィンドゥを介した前記コンポーネントの制御を無効化するか、或いは、この両方を行うことを、さらに含む、付記６に記載の方法。
【００７９】
付記８．前記電子ディスプレイに一覧ページを表示することをさらに含み、前記ポップアップウィンドゥが表示された後の前記一覧ページにおける入力に応答して、前記標示が削除されるとともに、前記ポップアップウィンドゥを介した前記１つのコンポーネントの制御が無効化される、付記７に記載の方法。
【００８０】
付記９．前記入力は、前記一覧ページにおける前記１つのコンポーネントを表示する部分にて行われる、付記８に記載の方法。
【００８１】
付記１０．複数のコンポーネント（１３２、１３３）を含むサブシステムと、
電子ディスプレイ（１０４）と、
前記電子ディスプレイに接続されたプロセッサ（１０２）と、を含むシステムであって、前記プロセッサは、
前記電子ディスプレイに、前記サブシステムに関連する電子チェックリスト（１０６）を表示させ、
前記電子チェックリストが、前記複数のコンポーネントの状態に関連するチェックリスト項目（１１２、１１４、２０２〜２０５）を含むか否か、を判断し、
前記電子チェックリストが、前記複数のコンポーネントの状態に関連する前記チェックリスト項目を含む、との判断に基づいて、前記複数のコンポーネントに制御コマンド（１６２、１６４）を送信するために選択可能な単一オプション（１１８）を、前記電子ディスプレイに表示するように構成されている、システム（１００）。
【００８２】
付記１１．前記電子ディスプレイはタッチスクリーン式ディスプレイである、付記１０に記載のシステム。
【００８３】
付記１２．前記プロセッサは、前記単一オプションを前記電子ディスプレイに表示された一覧ページ（１０８）に表示させるように構成されている、付記１０に記載のシステム。
【００８４】
付記１３．前記プロセッサは、前記チェックリスト項目が次の処理対象チェックリスト項目である場合に、前記単一オプションを前記電子ディスプレイに表示させるように構成されている、付記１０に記載のシステム。
【００８５】
付記１４．前記プロセッサは、前記チェックリスト項目が選択されたチェックリスト項目である場合に、前記単一オプションを前記電子ディスプレイに表示させるように構成されている、付記１０に記載のシステム。
【００８６】
付記１５．前記プロセッサは、さらに、前記単一オプションの選択に応答して、前記電子ディスプレイにポップアップウィンドゥ（３０２、４０２）を表示させるように、構成されており、前記ポップアップウィンドゥの内容は、前記複数のコンポーネントの状態判断に応じて決定される、付記１０に記載のシステム。
【００８７】
付記１６．前記プロセッサは、さらに、前記ポップアップウィンドゥが表示された後の前記電子ディスプレイにおける入力に応答して前記ポップアップウィンドゥから前記複数のコンポーネントのうちの１つのコンポーネントの状態の標示を削除するか、前記ポップアップウィンドゥが表示された後の前記入力に応答して前記ポップアップウィンドゥを介した前記コンポーネントの制御を無効化するか、或いは、この両方を行うように構成されている、付記１５に記載のシステム。
【００８８】
付記１７．プロセッサ実行可能命令（９８２）を格納する非一時的プロセッサ可読媒体（９８１）であって、前記プロセッサ実行可能命令は、プロセッサ（１０２）によって実行されると、前記プロセッサが、
電子ディスプレイ（１０４）に電子チェックリスト（１０６）を表示させ、
前記電子チェックリストが、前記電子チェックリストに関連するサブシステムの複数のコンポーネント（１３２、１３３）の状態に関するチェックリスト項目（１１２、１１４、２０２〜２０５）を含むか否か、を判断し、
前記電子チェックリストが、前記複数のコンポーネントの状態に関連する前記チェックリスト項目を含む、との判断に基づいて、前記複数のコンポーネントに制御コマンド（１６２、１６４）を送信するために選択可能な単一オプション（１１８）を、前記電子ディスプレイに表示させる、ように前記プロセッサを制御する、非一時的プロセッサ可読媒体。
【００８９】
付記１８．前記プロセッサ実行可能命令は、複数の命令をさらに含み、前記複数の命令は、前記プロセッサによって実行されると、前記プロセッサにより、前記サブシステムコントローラ（１２０）が、前記単一オプションの選択に応答して前記複数のコンポーネントに前記制御コマンドを送信するように、前記プロセッサを制御する、付記１７に記載の非一時的プロセッサ可読媒体。
【００９０】
付記１９．前記プロセッサ実行可能命令は、複数の命令をさらに含み、前記複数の命令は、前記プロセッサによって実行されると、前記プロセッサが前記電子ディスプレイに一覧ページ（１０８）を表示し、前記プロセッサが前記一覧ページに前記単一オプションを表示するように、前記プロセッサを制御する、付記１７に記載の非一時的プロセッサ可読媒体。
【００９１】
付記２０．前記プロセッサ実行可能命令は、複数の命令をさらに含み、前記複数の命令は、前記プロセッサによって実行されると、前記プロセッサにより、サブシステムコントローラが、１つ又は複数の制御コマンドを前記複数のコンポーネントの一部に送信するように、前記プロセッサを制御し、前記複数のコンポーネントの前記一部は、前記複数のコンポーネントのうちの選択解除されたコンポーネントを含まない、付記１７に記載の非一時的プロセッサ可読媒体。
【００９２】
本明細書で説明した例を示す図面は、様々な実施例の構造を全体的に理解できるようにすることを意図している。これらの図面は、本明細書で説明した構造や方法を用いる装置及びシステムの要素及び特徴の全てを完全に説明するものではない。本開示を検討すれば、当業者には他の多くの実施例が明らかであろう。本開示から他の実施例を利用したり導き出したりすることが可能であり、本開示の範囲から逸脱することなく構造的及び論理的な代替及び変形を行うことが可能である。例えば、方法ステップは、図示の順序とは異なる順序で実行してもよいし、１つ又は複数の方法ステップを省略することも可能である。したがって、本開示及び図面は、限定的ではなく、例示的なものとみなされるべきである。
【００９３】
さらに、本明細書において特定の例を図示及び説明してきたが、記載されている特定の実施例に代えて、同じ又は類似した結果を達成するために設計される将来の構成を用いることも可能である。本開示は、様々な実施例の将来における全ての改変及び変形を範囲に包含することを意図している。本開示を検討すれば、当業者には、上記実施例の組み合わせ、及び、本明細書に明示されていない他の実施例が明らかであろう。
【００９４】
提出される要約書は、請求の範囲又は意味を解釈又は限定するためのものではない。また、上述した詳細な説明において、本開示を簡素化するために、様々な特徴をまとめたり、１つの実施例で説明したりする場合がある。以下の請求の範囲が示すように、請求される要旨は、本開示の実施例の全ての特徴に関するものではない場合もある。
【００９５】
上述した例は本開示を説明するものであって、何ら限定を加えるものではない。なお、本開示の原理に従って、種々の改変及び変形が可能である。したがって、本開示の範囲は、以下の請求の範囲及びその均等物により規定される。
【図１】
2018079919.tif 000003
【図２】
2018079919.tif 000004
【図３】
2018079919.tif 000005
【図４】
2018079919.tif 000006
【図５】
2018079919.tif 000007
【図６】
2018079919.tif 000008
【図７】
2018079919.tif 000009
【図８】
2018079919.tif 000010
【図９】
2018079919.tif 000011
【外国語明細書】
2018079919000001.pdf
2018079919000002.pdf
2018079919000003.pdf
2018079919000004.pdf